(57)【要約】      （修正有）【課題】釣竿を把持する手の疲労を軽減する釣竿用リールシートの提供。【解決手段】前側に筒状の移動フード１２を備え、移動フード１２は、リール脚の前端部を覆うためのフード部を有する筒状のリールシート２であって、移動フード１２は、外周面の全周のうちフード部とは反対側の部分に、指を前側から引っ掛けるためのトリガー３３を有しており、トリガー３３の前面は、幅方向に沿って前側凸に湾曲した形状であり、トリガー３３の後面は、凹部を有する形状であり、トリガー３３の突出長さは、指一本分の幅に相当する。【選択図】図１０
2020018189.tif 000002
【特許請求の範囲】
【請求項１】
前側に筒状の移動フードを備え、移動フードは、リール脚の前端部を覆うためのフード部を有する筒状のリールシートであって、
移動フードは、外周面の全周のうちフード部とは反対側の部分に、指を前側から引っ掛けるためのトリガーを有していることを特徴とする釣竿用リールシート。
【請求項２】
トリガーの前面は、幅方向に沿って前側凸に湾曲した形状であり、トリガーの後面は、凹部を有する形状である請求項１記載の釣竿用リールシート。
【請求項３】
トリガーの前面は、幅方向に沿って前側凸に湾曲した形状であり、トリガーの後面は、横断面視において、後側への膨出量が前面の前側への膨出量よりも小さい形状である請求項１記載の釣竿用リールシート。
【請求項４】
トリガーの突出長さは、指一本分の幅に相当する請求項１乃至３の何れかに記載の釣竿用リールシート。
【請求項５】
トリガーの前面の先端側領域は、移動フードの径方向に対して前側に１０度以下の傾斜角度で傾斜しており、且つ、リールを取り付けた状態において、トリガーの前面の先端側領域は、移動フードの径方向に沿うか又は移動フードの径方向に対して前側に傾斜した状態となる請求項１乃至４の何れかに記載の釣竿用リールシート。
【請求項６】
請求項１乃至５の何れかに記載の釣竿用リールシートを備えた釣竿。
【請求項７】
リール脚の前端部を覆うためのフード部を有する筒状の移動フードであって、
外周面の全周のうちフード部とは反対側の部分に、指を前側から引っ掛けるためのトリガーを有していることを特徴とする釣竿用リールシートの移動フード。
【発明の詳細な説明】
【技術分野】
【０００１】
本発明は、釣竿にリールを固定するための釣竿用のリールシートと、該釣竿用リールシートを備えた釣竿と、釣竿用リールシートに用いられる移動フードに関する。
【背景技術】
【０００２】
下記特許文献１のように、両軸リールが取り付けられるリールシートは、下面にトリガーを有している。釣り人は、例えば人差し指と中指との間にトリガーを位置させるようにして釣竿を把持する。しかしながら、釣りを長時間行うと、釣竿を把持する手が疲労しやすい。
【先行技術文献】
【特許文献】
【０００３】
【特許文献１】特開２０１１−１３５８１５号公報
【発明の概要】
【発明が解決しようとする課題】
【０００４】
それゆえに本発明は、釣竿を把持する手の疲労を軽減することを課題とする。
【課題を解決するための手段】
【０００５】
本発明は上記課題を解決すべくなされたものであって、本発明に係る釣竿用リールシートは、前側に筒状の移動フードを備え、移動フードは、リール脚の前端部を覆うためのフード部を有する筒状のリールシートであって、移動フードは、外周面の全周のうちフード部とは反対側の部分に、指を前側から引っ掛けるためのトリガーを有していることを特徴とする。
【０００６】
このリールシートが装着された釣竿には例えば両軸リールを取り付けることができる。その釣竿を把持する際、例えば図１１のように把持することができる。親指をリールの上側に位置させる。リールの上面の後部又はリールの後面には母指球を押し当てる。リールの前側の位置において人差し指と中指との間に釣竿を位置させて、人差し指をリールの前面に当接させ、中指を移動フードのトリガーの前面に当接させる。薬指と小指はリールシート本体の下面に当接させる。あるいは、グリップ体を備える場合には、そのグリップ体に薬指と小指を当接させる。薬指と小指のうち主として小指でリールシート本体やグリップ体を把持する。薬指と小指はトリガーから後側に離れて位置する。このような把持の仕方によって、母指球、人差し指、中指、及び小指の合計四点で釣竿を支持することができる。釣竿の上側の二箇所と下側の二箇所の合計四箇所で釣竿を支持することができるので、釣竿が安定しやすい。そのため、小さな力で釣竿を把持することができる。また、このように把持すると、手首が腕に対して一直線上となりやすく、手首が曲がりにくくなる。そのため、手首の負担が小さい。
【０００７】
図１３のように把持することもできる。親指は同様にリールの上側に位置させて、リールの上面の後部やリールの後面に母指球を押し当てる。人差し指を移動フードのトリガーの前面に当接させ、中指と薬指と小指をリールシート本体やグリップ体の下面に当接させる。中指と薬指と小指のうち主として小指でリールシート本体やグリップ体を把持する。中指と薬指と小指は、トリガーから後側に離れて位置する。このような把持の仕方によって、母指球、人差し指、及び小指の合計三点で釣竿を支持することができる。合計三点で釣竿を支持することができるので、釣竿が安定しやすい。そのため、小さな力で釣竿を把持することができる。この場合も、手首の曲がりは小さく、手首の負担は小さい。
【０００８】
また、前側の移動フードがトリガーを有しているので、大型のリールの場合には、移動フードと共にトリガーは相対的に前側に位置し、小型のリールの場合には、移動フードと共にトリガーは相対的に後側に位置する。このようにリールのサイズに応じてトリガーの位置が前後に変化するので、リールのサイズが変わっても、上述のような四点支持や三点支持で釣竿を把持することができる。
【０００９】
特に、トリガーの前面は、幅方向に沿って前側凸に湾曲した形状であり、トリガーの後面は、凹部を有する形状であることが好ましい。上述のように、トリガーの前面には例えば中指を当接させる。中指をトリガーの前面に当接させる場合、中指の例えば第一関節をトリガーの前面に押し付けるようにする。その際、トリガーの前面が幅方向に沿って前側凸に湾曲した形状であると、中指の感触は柔らかいものとなり、中指が痛くなりにくい。一方、薬指は中指から後方に離れて位置するので、トリガーの後面に薬指が接触しにくい。従って、トリガーの後面が凹部を有する形状であっても、薬指は痛くならない。そして、トリガーの後面が凹部を有する形状であることにより、トリガーを軽量化でき、移動フードを軽量化できる。
【００１０】
また、トリガーの前面は、幅方向に沿って前側凸に湾曲した形状であり、トリガーの後面は、横断面視において、後側への膨出量が前面の前側への膨出量よりも小さい形状であることも好ましい。トリガーの後面をこのような形状とすることによっても、トリガーを軽量化できる。尚、横断面とは、トリガーをその幅方向に沿って切断したときの断面である。
【００１１】
また、トリガーの突出長さは、指一本分の幅に相当することが好ましい。上述したような四点支持の把持の仕方において、薬指を伸ばしたり曲げたりすることで、薬指で両軸リールのハンドルを回転させることができる。つまり、片手のみで釣竿を操作しながら両軸リールを回転させるができる。そのように薬指で両軸リールのハンドルを回転させる操作を行う場合、トリガーの突出長さが指一本分の幅に相当する長さであると、トリガーに薬指が干渉しにくく、薬指をスムーズに屈伸させることができる。また、上述の三点支持の把持の仕方においても同様であって、中指を屈伸させることで両軸リールのハンドルを回転させることができる。その場合も、トリガーに中指が干渉しにくく、中指をスムーズに屈伸させることができる。
【００１２】
また、トリガーの前面の先端側領域は、移動フードの径方向に対して前側に１０度以下の傾斜角度で傾斜しており、且つ、リールを取り付けた状態において、トリガーの前面の先端側領域は、移動フードの径方向に沿うか又は移動フードの径方向に対して前側に傾斜した状態となることが好ましい。リールを取り付けると、移動フードのフード部はリール脚を乗り上げていき、移動フードは、ガタ分だけ傾くことになる。その傾きは、移動フードの全周のうちフード部が位置する領域においてその前部が移動フードの中心線に近づき、後部が移動フードの中心線から離れるという傾きである。リールを取り付ける前の基準状態においてトリガーの前面の先端側領域が移動フードの径方向に沿っていると、リールを取り付けた状態では、トリガーの前面の先端側領域は、移動フードの径方向に対して後側に傾斜した状態となる。一方、トリガーの前面の先端側領域が、移動フードの径方向に対して前側に１０度以下の傾斜角度で傾斜しており、且つ、リールを取り付けた状態において、トリガーの前面の先端側領域が、移動フードの径方向に沿っているか又は移動フードの径方向に対して前側に傾斜していると、トリガーに当接させている指が滑りにくく安定しやすく、上述のような四点支持や三点支持の状態が安定し、手の負担が軽減される。また、リールを取り付ける前の基準状態においてトリガーの前面の先端側領域の傾斜角度が１０度以下であるため、リールを取り付けた状態において、トリガーの前面の先端側領域が前側に傾斜している状態でもその傾斜角度は僅かである。そのため、トリガーの前面に指を自然な状態で当接させることができる。
【００１３】
また、本発明に係る釣竿は、上記リールシートを備えたものである。
【００１４】
また、本発明に係る釣竿用リールシートの移動フードは、リール脚の前端部を覆うためのフード部を有する筒状の移動フードであって、外周面の全周のうちフード部とは反対側の部分に、指を前側から引っ掛けるためのトリガーを有していることを特徴とする。
【発明の効果】
【００１５】
以上のように、前側の移動フードが、フード部とは反対側の部分に、トリガーを有しているので、釣竿を把持する手の疲労を軽減することができる。
【図面の簡単な説明】
【００１６】
【図１】本発明の第一の実施形態における移動フードを前側から見た斜視図。
【図２】同移動フードを後側から見た斜視図。
【図３】同移動フードを後側から見た斜視図。
【図４】同移動フードを左側から見た側面図。
【図５】同移動フードを前側から中心線の方向に見た正面図。
【図６】同移動フードを後側から中心線の方向に見た背面図。
【図７】同移動フードを下側から見た底面図。
【図８】図７のＤ−Ｄ断面図。
【図９】（ａ）〜（ｃ）はそれぞれ図６のＡ−Ａ断面図、Ｂ−Ｂ断面図、Ｃ−Ｃ断面図。
【図１０】同移動フードを備えた釣竿用リールシートが装着された釣竿に、両軸リールが取り付られけた状態を左側から見た側面図。
【図１１】図１０の釣竿を把持した状態の一例を示す側面図。
【図１２】図１０の釣竿のトリガーを示す図９（ｂ）に対応した断面図。
【図１３】図１０の釣竿を把持した状態の一例を示す側面図。
【図１４】本発明の第二の実施形態における移動フードを前側から見た斜視図。
【図１５】同移動フードを後側から見た斜視図。
【図１６】同移動フードを左側から見た側面図。
【図１７】同移動フードを前側から中心線の方向に見た正面図。
【図１８】同移動フードを後側から中心線の方向に見た背面図。
【図１９】同移動フードを下側から見た底面図。
【図２０】図１９のＨ−Ｈ断面図。
【図２１】（ａ）〜（ｃ）はそれぞれ図１８のＥ−Ｅ断面図、Ｆ−Ｆ断面図、Ｇ−Ｇ断面図。
【図２２】同移動フードを備えた釣竿用リールシートが装着された釣竿に、両軸リールが取り付られけた状態を左側から見た側面図。
【図２３】同移動フードを備えた釣竿用リールシートが装着された釣竿に、スピニングリールが取り付られけた状態を左側から見た側面図。
【図２４】図２３の釣竿を把持した状態の一例を示す側面図。
【図２５】本発明の他の実施形態におけるリールシートを装着した釣竿の使用状態を左側から見た側面図。
【図２６】本発明の他の実施形態におけるリールシートを装着した釣竿の使用状態を左側から見た側面図。
【図２７】本発明の他の実施形態におけるリールシートを装着した釣竿の使用状態を左側から見た側面図。
【図２８】同リールシートの分解図。
【発明を実施するための形態】
【００１７】
＜第一の実施形態＞
以下、本発明の第一の実施形態に係る移動フード、それ備えた釣竿用リールシート、及び釣竿について図１〜１３を参酌しつつ説明する。本実施形態におけるリールシート２は、釣竿にリールを固定するためのものであって、釣竿の竿本体１（ブランク）に装着されて使用される。該リールシート２は、いわゆるパイプシートと称されるものであって、全体として筒状のものであり、竿本体１に外装されて所定位置に接着固定される。リールは、スピニングリールであってもよいし、両軸リール３であってもよい。リールは、前後方向に延びるリール脚（図８参照）を備えている。リールは、リール脚をリールシート２に固定することにより、釣竿に固定される。
【００１８】
図１０に、一例として、釣竿のリールシート２に両軸リール３を取り付けた状態を示している。両軸リール３は、通常、リールシート２の上側に取り付けられる。尚、竿先側を前側と、竿尻側を後側と称する。竿本体１やリールシート２、移動フード１２の中心線１２ａの方向（軸線方向）は前後方向である。図１０に前側を矢印Ｘ１で示し、後側を矢印Ｘ２で示している。図４にも同様に示している。また、前後方向と直交する方向を左右方向とする。両軸リール３のハンドル６の回転軸線の方向は左右方向となる。スピニングリールのハンドル６の回転軸線の方向も同様に左右方向となる。
【００１９】
リールシート２は、筒状である。リールシート２は、釣竿の竿本体１の外側に取り付けられる。リールシート２は、筒状のリールシート本体１０と、二点鎖線で示すナット１１と、移動フード１２と、グリップ体１３とを備えている。グリップ体１３は、リールシート本体１０の直ぐ後側に位置している。グリップ体１３は筒状であり、リールシート本体１０の後部及び竿本体１の外側に装着されている。グリップ体１３は各種のグリップ素材から構成されている。グリップ素材としては、例えばコルクや、発泡ＥＶＡ等の発泡樹脂等がある。図１０等において、グリップ体１３には多数のドットを付して示している。移動フード１２はリール脚の前側に位置する。即ち、リールシート２は、フロントロック構造のものである。
【００２０】
リールシート本体１０は、竿本体１１の外側に直接又は筒状のスペーサ（図示省略）を介して接着固定される。リールシート本体１０は、図示しないリール脚取付部と、固定フード部２１と、雄ネジ部２２とを有している。リール脚取付部は、リール脚の取付面（裏面）を対峙させる部分であり、リールシート本体１０の全周のうちの所定部分に形成されている。リール脚取付部の後端部に固定フード部２１が形成されている。固定フード部２１はリールシート本体１０に一体に形成されている。尚、リールシート本体１０は、合成樹脂から射出成形により形成される。固定フード部２１は、図示しないリール脚の後端部を覆ってそれを保持する。固定フード部２１は前側に開口している。リール脚の後端部は固定フード部２１に前側から挿入される。
【００２１】
リールシート本体１０の前部外周面に雄ネジ部２２が形成されている。雄ネジ部２２にナット１１が螺合する。ナット１１の後側に移動フード１２が位置する。移動フード１２はリールシート本体１０に対して前後方向に移動可能であるが回転不能である。移動フード１２はリール脚の前端部５ａ（図８参照）を覆ってそれを保持する。移動フード１２とリールシート本体１０の固定フード部２１とよってリール脚を前後に狭持する。これによりリールがリールシート２に固定される。
【００２２】
移動フード１２の詳細について説明する。図１〜図９に本実施形態に係る移動フード１２を単体の状態で示している。移動フード１２の向きは任意であるが、便宜上、図１０のように両軸リール３を取り付けるときの状態に合わせて図示している。移動フード１２は、筒状であって、リールシート本体１０の外側に被せられる。移動フード１２は両端が開口している。
【００２３】
移動フード１２は、前端開口部の内周面に環状突条３０を有している。該環状突条３０は、ナット１１の外周面の図示しない係合周溝に係合する。これにより、ナット１１が回転しても移動フード１２は回転せず、ナット１１が回転しながら前後方向に移動することに伴って移動フード１２はナット１１と共に前後方向に移動する。移動フード１２は、内周面の中間部に、係合突条３１を有している。係合突条３１は、前後方向に沿って一直線状に延びている。係合突条３１の位置及び本数は任意であるが、本実施形態では、係合突条３１は上下対向して一対設けられている。但し、係合突条３１が左右方向に対向して一対設けられていてもよい。係合突条３１は、リールシート本体１０の外周面に形成された図示しないガイド溝と係合する。係合突条３１がリールシート本体１０のガイド溝に係合することにより、移動フード１２は、リールシート２の中心線回りに回転することなく、ガイド溝に案内されながら前後方向に直線的に移動できる。
【００２４】
移動フード１２は、後端開口部の開口縁部にフード部３２を有している。フード部３２は、移動フード１２の後端開口部の開口縁部の全周のうちの一部が径方向外側に膨出した形状となっている。フード部３２は後側に開口している。リール脚の前端部５ａは相対的に後側からフード部３２に入り込む。フード部３２は、リール脚の前端部５ａを径方向外側から覆ってそのリール脚の前端部５ａを保持する。移動フード１２のフード部３２とリールシート本体１０の固定フード部２１がリール脚を前後に狭持する。
【００２５】
移動フード１２は、外周面にトリガー３３を有している。トリガー３３は、移動フード１２の外周面の全周のうち、フード部３２とは上下反対側の部分に位置している。フード部３２とトリガー３３は、前後方向の位置が略同じである。例えば、フード部３２が外周面の上側の部分に位置している状態では、トリガー３３は、外周面の下側の部分に位置する。トリガー３３とフード部３２は、移動フード１２を前側から見たとき、あるいは、移動フード１２を後側から見たとき、１８０度対向した位置関係にある。尚、トリガー３３の前後方向の位置は任意である。本実施形態では、トリガー３３は、移動フード１２の外周面の後端部近傍に位置しているが、移動フード１２の外周面の前後方向の中間部や前端部近傍に位置していてもよい。
【００２６】
トリガー３３は、移動フード１２の外周面から略径方向外側に向けて突出している。図４及び図８のように、トリガー３３の前後方向の寸法はトリガー３３の厚さである。トリガー３３の厚さは、基端部において大きく、先端部において小さい。トリガー３３の厚さは、基端部から先端部に向けて徐々に小さくなっている。図５及び図６のように、トリガー３３の左右方向の寸法はトリガー３３の幅である。トリガー３３の幅は、基端部において大きく、先端部において小さい。トリガー３３の幅は、基端部から先端部に向けて徐々に小さくなっている。トリガー３３を前側から見たとき、及びトリガー３３を後側から見たとき、トリガー３３の形状は、正面視又は背面視において、基端部を底辺とし先端部を頂点とする略三角形状であり、具体的には、頂角が鋭角である左右対称の二等辺三角形状である。
【００２７】
トリガー３３の前面３４に指が引っ掛けられる。指は、例えば人差し指や中指である。指は、トリガー３３に左右方向に沿って掛け回される。右手の場合には、トリガー３３に指が右側から左側に向けて掛け回され、左手の場合には、指が左側から右側に向けて掛け回される。トリガー３３の突出長さは、一般的な成人の手の人差し指や中指の指一本分の幅に相当する長さである。
【００２８】
図９のように、トリガー３３の前面３４は、左右方向に沿って前側凸に湾曲している。トリガー３３の前面３４は、左右方向に沿って前側に膨出した湾曲面である。トリガー３３の前面３４の左右両側縁部は、トリガー３３の後面３５の近傍まで延びていることが好ましい。トリガー３３の前面３４の左右両側縁部は、少なくともトリガー３３の前後方向の中央位置を越えて後側まで延びていることが好ましい。即ち、トリガー３３の前面３４の左右両側縁部は、トリガー３３の後部まで延びていることが好ましい。
【００２９】
トリガー３３の後面３５は、後側にはほとんど膨出していない。トリガー３３の後面３５は、凹部３６を有している。凹部３６は、前側に向けて凹んでいる。凹部３６の形状、大きさ、個数は、任意であるが、本実施形態では、凹部３６は、トリガー３３の後面３５の中央部に一箇所形成されている。凹部３６は、図６のように、トリガー３３の形状に対応している。凹部３６の幅は、トリガー３３の基端側において広く、トリガー３３の先端側において狭い。凹部３６の幅は、トリガー３３の基端側から先端側に向けて徐々に広くなっている。具体的には、凹部３６は、トリガー３３の正面視ないし背面視の形状に対応して略三角形状である。凹部３６の深さは、トリガー３３の厚さの略半分程度である。トリガー３３の後面３５が凹部３６を有することにより、トリガー３３の肉厚は略一定となる。
【００３０】
図６及び図８のように、トリガー３３は、全体として、前側に向けて傾斜して延びている。図８のような縦断面視において、トリガー３３の前面３４は、基端側領域３４ａと先端側領域３４ｂという二つの部分に区画される。基端側領域３４ａと先端側領域３４ｂは、互いに形状が異なっている。基端側領域３４ａと先端側領域３４ｂの比率は種々であってよいが、本実施形態では、基端側領域３４ａと先端側領域３４ｂがトリガー３３の前面３４を二分している。従って、基端側領域３４ａは、基端側の略半分の領域を占めており、先端側領域３４ｂは、先端側の略半分の領域を占めている。縦断面視において、トリガー３３の前面３４の基端側領域３４ａは、後側凸に湾曲している。トリガー３３の前面３４の基端側領域３４ａは、後側に湾曲しつつ基端側から先端側に向けて延びている。縦断面視において、トリガー３３の前面３４の先端側領域３４ｂは、移動フード１２の径方向に対して前側に傾斜角度θで傾斜した直線である。
【００３１】
移動フード１２のトリガー３３の位置における径方向を図８に一点鎖線で示している。一点鎖線で示す移動フード１２の径方向は、上下方向である。トリガー３３の前面３４の先端側領域３４ｂは、先端側ほど前側に位置するように、上下方向に対して前側に傾斜角度θで傾斜している。傾斜角度θは、好ましくは１０度以下であり、５度以下がより好ましい。また、傾斜角度θは、１度以上であることが好ましい。移動フード１２は、リールシート本体１０に前後方向に移動可能に装着されている。リールシート本体１０の外周面と移動フード１２の内周面との間には隙間が存在している。その隙間、ガタ分によって、リールシート２にリールを取り付けた状態では、移動フード１２は僅かに傾いた状態となる。その傾きは、移動フード１２の中心線１２ａの前側がトリガー３３側となり、移動フード１２の中心線１２ａの後側がフード部３２側となる傾きである。例えば、フード部３２が移動フード１２の上側に位置し、トリガー３３が移動フード１２の下側に位置する場合、移動フード１２の傾きは、移動フード１２の中心線１２ａの前側が下側となり、移動フード１２の中心線１２ａの後側が上側となる傾きである。
【００３２】
リールシート２にリールを取り付けることによって移動フード１２が若干傾いた状態になった際に、トリガー３３の前面３４の先端側領域３４ｂが少なくとも後側に傾斜していない状態にあることが好ましい。即ち、リールシート２にリールを取り付けた状態において、トリガー３３の前面３４の先端側領域３４ｂは、上下方向に沿っているか、あるいは、上下方向に対して前側に若干傾斜しているか、何れかの状態となることが好ましい。リールシート２にリールを取り付けた状態においてトリガー３３の前面３４の先端側領域３４ｂが上下方向に沿っている場合、トリガー３３の前面３４の先端側領域３４ｂは、移動フード１２の中心線１２ａに対して直交した姿勢となる。リールシート２にリールを取り付けた状態においてトリガー３３の前面３４の先端側領域３４ｂが前側に若干傾斜している場合、その角度は数度以下が好ましく５度以下が好ましい。例えば、トリガー３３の前面３４の先端側領域３４ｂの傾斜角度θが５度であって、リールを取り付けることによって移動フード１２が２度傾く場合、リールを取り付けた状態におけるトリガー３３の前面３４の先端側領域３４ｂは、５−２＝３度、前側に傾斜していることになる。
【００３３】
移動フード１２は一つの部材であることが好ましい。トリガー３３は、移動フード１２に一体的に形成されていることが好ましい。移動フード１２は、合成樹脂から射出成形により形成されることが好ましい。
【００３４】
以上のようなリールシート２に例えば両軸リール３が装着される。図１０に示すように、両軸リール３は、通常の使用状態において、リールシート２の上側に位置する。両軸リール３は右ハンドル仕様でも左ハンドル仕様でもよい。一例として、左ハンドル仕様のものを図示している。左ハンドル仕様の両軸リール３の場合、釣竿を右手で把持し、左手でハンドル６を回転させる。
【００３５】
右手で釣竿を把持する際、例えば図１１のように把持することができる。図１１において右手を二点鎖線で示している。この握り方は、例えば船釣りに適している。親指１００を両軸リール３の上側に位置させる。親指１００は、両軸リール３の上面に当接させてもよいし、両軸リール３の上面から若干浮かせるようにしてもよい。両軸リール３の上面の後部、あるいは、両軸リール３の後面には母指球１０１を押し当てる。母指球１０１が、釣竿を支持するための一つ目の支点となる。母指球１０１で両軸リール３を前方且つ斜め下方に押す。
【００３６】
両軸リール３の前側の位置において人差し指１０２と中指１０３との間に釣竿を位置させる。人差し指１０２と中指１０３の間に釣竿を通すようにする。人差し指１０２は釣竿の上側に位置させる。人差し指１０２は、両軸リール３の前面に当接させる。釣竿の上側には両軸リール３が存在しているので、その両軸リール３に人差し指１０２を前側から引っ掛けるようにする。人差し指１０２が、釣竿を支持するための二つ目の支点となる。人差し指１０２で両軸リール３を後側即ち手前に引く。
【００３７】
中指１０３は釣竿の下側に位置させる。中指１０３は移動フード１２のトリガー３３に引っ掛ける。中指１０３は、釣竿を挟んで、人差し指１０２の略直下の位置あるいは若干後側に位置する。中指１０３とトリガー３３との関係を図１２に示している。中指１０３はトリガー３３の前面３４に当接する。中指１０３はトリガー３３の後面３５には当接せず、トリガー３３の前面３４のみに当接する。トリガー３３の前面３４への中指１０３の当接状態は種々であってよい。例えば、トリガー３３の前面３４に中指１０３の指頭の指腹のみを当接させるようにしてもよい。好ましくは、図１２のように、中指１０３の第一関節をトリガー３３の前面３４の左右方向中央部に位置させ、第一関節の両側の指腹部分をトリガー３３の前面３４の左部と右部にそれぞれ密着させる。トリガー３３の突出長さは中指１０３の幅に相当する長さであるため、中指１０３の全幅をトリガー３３の前面３４に押し当てることができる。また、中指１０３に対してトリガー３３が下側にほとんど突出しない。中指１０３が、釣竿を支持するための三つ目の支点となる。中指１０３でトリガー３３を手前に引く。
【００３８】
残る二つの指である薬指１０４と小指１０５は、グリップ体１３の下面に当接させる。薬指１０４と小指１０５はトリガー３３から後側に離れて位置する。薬指１０４と小指１０５のうち主として小指１０５でグリップ体１３を把持することが好ましい。薬指１０４はグリップ体１３に軽く添える程度でよい。小指１０５が、釣竿を支持するための四つ目の支点となる。小指１０５で釣竿を上側に押す。
【００３９】
このように釣竿を把持すると、母指球１０１、人差し指１０２、中指１０３、及び小指１０５で釣竿を四点支持することができる。両軸リール３の前部の上下二箇所と両軸リール３の後部の上下二箇所の合計四箇所の支持である。また、釣竿の上側の前後二箇所と下側の前後二箇所の合計四箇所の支持である。そのため釣竿を容易に安定させることができる。両軸リール３は釣竿の上側に位置するため、両軸リール３の重みで釣竿が左右に回転しやすい。ハンドル６を左手で回転させる場合も、ハンドル６の回転操作に伴って釣竿が左右にぶれやすい。しかしながら、このように四点で支持することによって釣竿の左右の回転やブレを容易に抑制することができる。また、小さな力で釣竿を把持することができ、釣り人の負担が小さい。また、図１１のように、手の平が腕に対して真っ直ぐ前に伸びた状態で釣竿を把持することができ、手の平と腕とが一直線上となる。つまり、手首が曲がりにくくなる。換言すれば、手を真っ直ぐに伸ばした状態で、そのまま手を握って釣竿を把持するという感覚に近い。そのため、手首の負担が小さく、長時間楽に釣竿を持って釣りを行うことができる。しかも、手の平や腕に対して釣竿が同一線上に位置するので、釣竿と手との一体感が高まり、釣竿が手の延長となる。
【００４０】
また、図１１に矢印で示しているように、薬指１０４を屈伸させることでハンドル６を薬指１０４で回転させることができる。例えばカワハギ釣りにおいては、釣竿を上下にシェイクさせながら、いわゆる「たたき釣り」という動作を行う場合がある。そのような場合には、釣竿を持っている片手、図１１の場合は右手のみで釣竿を上下に小刻みに振動させる。その際に、糸ふけが出た場合等には、薬指１０４でハンドル６を回転させて糸ふけを取ることができる。つまり、片手のみで釣竿のアクションとハンドル６の回転操作を行うことができる。そのように薬指１０４でハンドル６を回転させる際、トリガー３３に薬指１０４が干渉しないので、薬指１０４でハンドル６をスムーズに回転操作することができる。また、薬指１０４を屈伸させても、釣竿を四点で支持しているので、釣竿が安定しており、ハンドル６を容易に回転操作できる。
【００４１】
上述のような握り方は一例であって、握り方は釣り人が任意に決めることができる。図１３のような握り方をすることもできる。図１１の握り方と異なり、人差し指１０２をトリガー３３に引っ掛ける。中指１０３、薬指１０４及び小指１０５は、グリップ体１３を把持する。中指１０３でハンドル６を回転させることができる。この場合、母指球１０１と人差し指１０２と小指１０５の三点で釣竿を支持することができる。この三点支持の場合も釣竿を容易に安定させることができる。
【００４２】
尚、リールシート２に両軸リール３を取り付けた場合を例にして説明したが、スピニングリールを取り付けてもよい。スピニングリールの場合は、通常、釣竿の下側にスピニングリールが位置し、移動フード１２のトリガー３３は、釣竿の上側に位置する。
【００４３】
＜第二の実施形態＞
次に、第二の実施形態にかかる移動フード１２、リールシート２及び釣竿について説明する。但し、第一の実施形態と同様の構成についてはその詳細な説明を省略する。図１４〜図２１に第二の実施形態における移動フード１２を単体の状態で示している。第二の実施形態の移動フード１２は、係合突条３１を左右一対備えている。また、移動フード１２は、図１６及び図２０のように、第一の実施形態の移動フード１２よりもトリガー３３が前側に位置している。トリガー３３は、移動フード１２の前後方向の略中央部に位置している。トリガー３３の前面３４の左右方向中央部（幅方向中央部）には、曲率半径が他の部分よりも小さい尾根部３４ｃが縦方向に沿って延びている。この尾根部３４ｃを指の第一関節に位置させることができる。トリガー３３の後面３５には上述のような凹部３６は形成されていない。図２１のように、トリガー３３の後面３５は、横断面視において、後側に僅かに膨出しているが、その膨出量あるいは膨出の程度は、トリガー３３の前面３４の膨出量や膨出の程度よりも小さい。トリガー３３の後面３５は、後側に若干膨出している程度である。トリガー３３の後面３５は、左右方向に沿って僅かに後側凸に湾曲しているが、その曲率半径は大きく平面に近い。
【００４４】
図２２に釣竿に両軸リール３を取り付けた状態を示している。リールシート２と竿本体１との間には、装飾用の筒体７を備えることも好ましい。筒体７は例えば金属製とすることができる。尚、両軸リール３は右ハンドル仕様である。従って、左手で釣竿を把持することになる。このリールシート２はグリップ体１３を備えていない。従って、上述したような四点支持の握り方の場合には、薬指１０４と小指１０５はリールシート本体１０を把持することになる。
【００４５】
また、図２３には、釣竿にスピニングリール４を取り付けた状態を示している。スピニングリール４は右ハンドル仕様であってもよいし左ハンドル仕様であってもよいが、図２３には左ハンドル仕様のものを図示している。右手で釣竿を把持する。リールシート２は、図２２に示した状態とは上下反対向きとなる。リールシート本体１０のリール取付部２０や移動フード１２のフード部３２、リールシート本体１０の固定フード部２１は下側に位置する。移動フード１２のトリガー３３は上側に位置し、上側に向けて突出した状態となる。リール脚はリールシート本体１０のリール脚取付部２０に下側から取り付けられる。リール脚の前端部５ａは、リール脚の足首部５ｃから前側に延びていて、移動フード１２のフード部３２に保持される。リール脚の後端部５ｂは、リール脚の足首部５ｃから後側に延びていて、リールシート本体１０の固定フード部２１に保持される。
【００４６】
図２４に握り方の一例を示している。親指１００はリールシート２の上側に位置させる。親指１００はリールシート本体１０の上面に当接させてもよいし、リールシート本体１０から浮かしてもよい。母指球１０１をリールシート本体１０の後部から竿本体１にかけて当接させる。母指球１０１が一つ目の支点となる。
【００４７】
人差し指１０２をトリガー３３に引っ掛ける。人差し指１０２が二つ目の支点となる。中指１０３と薬指１０４の間にリール脚の足首部５ｃを位置させる。中指１０３はリール脚の足首部５ｃの前側に位置させる。中指１０３をリール脚の足首部５ｃに前側から当接させてもよく、その場合、中指１０３が三つ目の支点となる。薬指１０４と小指１０５はリール脚の足首部５ｃの後側に位置させる。薬指１０４はリール脚の足首部５ｃから後側に離して位置させる。小指１０５が四つ目の支点となる。このように母指球１０１、人差し指１０２、中指１０３及び小指１０５の四点で釣竿を支持することができる。この握り方では、手首が曲がりにくく、自然な状態で釣竿を把持できる。
【００４８】
＜その他の実施形態＞
リールシート２の他のバリエーションの代表例をいくつか挙げる。図２５のように、リールシート本体１０が第二のトリガー４０を有していてもよい。第二のトリガー４０は、リールシート本体１０の下面に一体的に形成されている。第二のトリガー４０は、例えばリールシート本体１０の下面の後部に位置している。リールシート本体１０の第二のトリガー４０は、移動フード１２のトリガー３３から後側に離れて位置する。リールシート本体１０の第二のトリガー４０は、移動フード１２のトリガー３３よりも突出長さが大きく、移動フード１２のトリガー３３よりも下側に延びている。このリールシート２には、主として両軸リール３が取り付けられる。リールシート２の後側の位置に筒状のグリップ体１４が設けられる。グリップ体１４は竿本体１に装着される。上述のように四点支持で把持した場合、小指１０５をリールシート本体１０の第二のトリガー４０に前側から当接させることができる。上述の三点支持の場合には、リールシート本体１０の第二のトリガー４０を薬指１０４と小指１０５の間に位置させることもできる。また、移動フード１２に指を掛けない握り方にも容易に対応でき、例えば、リールシート本体１０の第二のトリガー４０を人差し指１０２と中指１０３で挟んだりすることができる。
【００４９】
図２６に示すリールシート２は、第一の実施形態のリールシート２と同様に、グリップ体１３を備えている。グリップ体１３の下面に突起５０が形成されている。突起５０は、例えば図２５の第二のトリガー４０よりも下方への突出長さが小さい。突起５０は、移動フード１２のトリガー３３よりも突出長さが小さい。この突起５０は、例えば、薬指１０４と小指１０５の間に位置させることができる。
【００５０】
図２７及び図２８に示すリールシート２は、下側に大きく膨出したパーミンググリップ部６０を備えている。リールシート２は、リールシート本体１０と、移動フード１２と、移動フード１２用のナット１１と、保持用ナット６１とを備えている。リールシート本体１０は、リール脚取付部２０と、固定フード部２１と、移動フード１２用の雄ネジ部２２と、パーミンググリップ部６０と、保持用雄ネジ部６３とを備えている。保持用雄ネジ部６３は固定フード部２１よりも後側に位置している。その保持用雄ネジ部６３に保持用ナット６１が螺着している。
【００５１】
リールシート本体１０は、互いに別体に形成された固定部材６４と交換部材６５とを備えている。固定部材６４は、リールシート本体１０の主要部を構成していて、全体として筒状である。固定部材６４は竿本体１に固定される。固定部材６４は、リール脚取付部６２と固定フード部２１とフード用の雄ネジ部２２と保持用雄ネジ部６３とを有している。交換部材６５は、固定部材６４に対して着脱可能である。交換部材６５は、固定部材６４に対して下側に向けて分離可能であり、下側から上側に向けて固定部材６４に取り付けられる。交換部材６５がパーミンググリップ部６０を有している。保持用ナット６１を緩めて後側に後退させた状態で交換部材６５を固定部材６４に着脱できる。保持用ナット６１を回転させて前進させることにより、保持用ナット６１が交換部材６５を前側に押す。交換部材６５は、固定部材６４と保持用ナット６１とによって前後に狭持されて固定される。
【符号の説明】
【００５２】
１    竿本体
２    リールシート
３    両軸リール
４    スピニングリール
５ａ  リール脚の前端部
５ｂ  リール脚の後端部
５ｃ  リール脚の足首部
６    ハンドル
７    筒体
１０    リールシート本体
１１    ナット
１２    移動フード
１２ａ  中心線
１３    グリップ体
１４    グリップ体
２０    リール脚取付部
２１    固定フード部
２２    雄ネジ部
３０    環状突条
３１    係合突条
３２    フード部
３３    トリガー
３４    前面
３４ａ  基端側領域
３４ｂ  先端側領域
３４ｃ  尾根部
３５    後面
３６    凹部
４０    第二のトリガー
５０    突起
６０    パーミンググリップ部
６１    保持用ナット
６３    保持用雄ネジ部
６４    固定部材
６５    交換部材
１００  親指
１０１  母指球
１０２  人差し指
１０３  中指
１０４  薬指
１０５  小指
【図１】
2020018189.tif 000003
【図２】
2020018189.tif 000004
【図３】
2020018189.tif 000005
【図４】
2020018189.tif 000006
【図５】
2020018189.tif 000007
【図６】
2020018189.tif 000008
【図７】
2020018189.tif 000009
【図８】
2020018189.tif 000010
【図９】
2020018189.tif 000011
【図１０】
2020018189.tif 000012
【図１１】
2020018189.tif 000013
【図１２】
2020018189.tif 000014
【図１３】
2020018189.tif 000015
【図１４】
2020018189.tif 000016
【図１５】
2020018189.tif 000017
【図１６】
2020018189.tif 000018
【図１７】
2020018189.tif 000019
【図１８】
2020018189.tif 000020
【図１９】
2020018189.tif 000021
【図２０】
2020018189.tif 000022
【図２１】
2020018189.tif 000023
【図２２】
2020018189.tif 000024
【図２３】
2020018189.tif 000025
【図２４】
2020018189.tif 000026
【図２５】
2020018189.tif 000027
【図２６】
2020018189.tif 000028
【図２７】
2020018189.tif 000029
【図２８】
2020018189.tif 000030